(57)【要約】【課題】紙幣の詰まりの発生を抑制する。【解決手段】第１の搬送ガイド２１０側にステージ２３１を移動させて押圧された紙幣Ｐを、キックローラ２２０によって一対のフィードローラ２５０と一対の阻止ローラ２６０との接触部Ｔに繰り出し、その接触部Ｔで１枚の紙幣Ｐを分離して搬出する収納庫１６にて、ステージ２３１の紙幣Ｐの集積面側に配置した癖付け部２４０によって、紙幣Ｐに、繰り出される方向に曲げ癖が付けられて、紙幣Ｐの剛性が高まる。【選択図】図１
2010026684.tif 000002
【特許請求の範囲】
【請求項１】
紙幣の入金及び出金を行う紙幣処理装置において、
前記紙幣が収納される収納部と、
前記収納部内に収納された前記紙幣をガイドするガイド部材と、
前記収納部内に収納された前記紙幣が積載されて、移動することによって前記紙幣を前記ガイド部材側に押圧するステージと、
前記ガイド部材から外周面を突出させて配置され、前記紙幣を繰り出す一対の第１のローラと、
前記ステージの前記紙幣の積載面側に配置され、前記紙幣に、繰り出される方向に曲げ癖を付ける癖付け部と、
前記ガイド部材から外周面を突出させて配置され、前記第１のローラで繰り出される曲げ癖が付いた前記紙幣を搬送する一対の第２のローラと、
一対の前記第２のローラにそれぞれ接して対向配置され、前記第２のローラで搬送される曲げ癖が付いた前記紙幣を１枚に分離する一対の第３のローラと、
を有することを特徴とする紙幣処理装置。
【請求項２】
前記癖付け部は、前記ステージの前記第３のローラ側の端部の中央部に配置されていることを特徴とする請求項１記載の紙幣処理装置。
【請求項３】
前記紙幣の曲げ癖の幅が一対の前記第３のローラの間隔と等しくなるように、
前記癖付け部は、平面視で一対の前記第３のローラの間に位置して、前記ステージに配置されることを特徴とする請求項２記載の紙幣処理装置。
【請求項４】
前記第１のローラは、前記癖付け部よりも、前記第２のローラ及び前記第３のローラから離れて配置されていることを特徴とする請求項１乃至３のいずれか１項に記載の紙幣処理装置。
【請求項５】
前記癖付け部は、前記ステージに一体的に形成されていることを特徴とする請求項１乃至４のいずれか１項に記載の紙幣処理装置。
【請求項６】
前記癖付け部の前記紙幣と接触する側の角部が曲率を有することを特徴とする請求項１乃至５のいずれか１項に記載の紙幣処理装置。
【請求項７】
前記癖付け部は前記第３のローラ側に突出して前記ステージに配置されていることを特徴とする請求項１乃至６のいずれか１項に記載の紙幣処理装置。
【請求項８】
紙幣の入金及び出金を行う紙幣処理装置において、
前記紙幣が収納される収納部と、
前記収納部内に収納された前記紙幣をガイドするガイド部材と、
前記収納部内に収納された前記紙幣が積載されて、移動することによって前記紙幣を前記ガイド部材側に押圧するステージと、
前記ガイド部材から外周面を突出させて配置された前記紙幣を繰り出す第１のローラと、
前記ステージの前記紙幣の積載面側に配置され、前記紙幣に、繰り出される方向に曲げ癖を付ける一対の癖付け部と、
前記ガイド部材から外周面を突出させて配置され、前記第１のローラで繰り出される曲げ癖が付いた前記紙幣を搬送する一対の第２のローラと、
一対の前記第２のローラにそれぞれ接して対向配置され、前記第２のローラで搬送される曲げ癖が付いた前記紙幣を１枚に分離する一対の第３のローラと、
を有することを特徴とする紙幣処理装置。
【請求項９】
紙幣の入金及び出金を行う紙幣処理装置を備えた金銭処理機において、
前記紙幣が収納される収納部と、
前記収納部内に収納された前記紙幣をガイドするガイド部材と、
前記収納部内に収納された前記紙幣が積載されて、移動することによって前記紙幣を前記ガイド部材側に押圧するステージと、
前記ガイド部材から外周面を突出させて配置され、前記紙幣を繰り出す一対の第１のローラと、
前記ステージの前記紙幣の積載面側に配置され、前記紙幣に、繰り出される方向に曲げ癖を付ける癖付け部と、
前記ガイド部材から外周面を突出させて配置され、前記第１のローラで繰り出される曲げ癖が付いた前記紙幣を搬送する一対の第２のローラと、
一対の前記第２のローラにそれぞれ接して対向配置され、前記第２のローラで搬送される曲げ癖が付いた前記紙幣を１枚に分離する一対の第３のローラと、
を有する紙幣処理装置を備えたことを特徴とする金銭処理機。
【発明の詳細な説明】
【技術分野】
【０００１】
本発明は紙幣処理装置及び金銭処理機に関し、特に、紙幣の入出及び出金を行う紙幣処理装置、及びそのような紙幣処理装置を備えた金銭処理機に関する。
【背景技術】
【０００２】
上位装置と接続されて、入金された紙幣を内部に保管し、上位装置の指令に応じて紙幣の出金を行う紙幣処理装置及び硬貨処理装置を備える金銭処理機がスーパーマーケットなどに配置されている。金銭処理機に用いられる紙幣処理装置は、例えば次のような構成である。
【０００３】
図１１は紙幣処理装置の概念図である。
紙幣処理装置１００は、紙幣が投入される入金口１０１、釣銭紙幣などが支払われる出金口１０２、入・出金紙幣が搬送される搬送路１０３を有している。搬送路１０３の途中には、投入された紙幣の真偽を鑑別する鑑別部１０４、鑑別部１０４にて真と鑑別された紙幣の金種を判別する金種判別部１０５が配置されている。さらに、紙幣を金種別に収納して保管する収納庫１０６を有している。なお、収納された紙幣の金種と枚数とを確認するための精査庫１０７が設けられている。
【０００４】
このような紙幣処理装置１００において、入金口１０１から投入された紙幣は、搬送路１０３を搬送されて、鑑別部１０４でその真偽が鑑別される。偽札である場合には、出金口１０２から払い出される。真札である場合には、搬送路１０３を搬送されて、金種判別部１０５でその金種が、例えば千円札や一万円札などと判別されて、判別された金種に応じて所定の収納庫１０６に収納される。また、釣銭の払い戻しが必要になった場合には、指令に応じて収納庫１０６から排出された所定の紙幣が搬送路１０３を搬送されて、出金口１０２から払い出される。
【０００５】
ここで、収納庫１０６の詳細について説明する。
図１２は、収納庫の概要側面図、図１３は、収納庫の概要平面図である。また、図１４及び図１５は紙幣搬出動作の説明図である。
【０００６】
収納庫１０６は、図１２及び図１３に示されるように、紙幣Ｐを集積して収納可能な収納部２００、紙幣Ｐのガイド部材である第１及び第２の搬送ガイド２１０，２７０、及び収納されている紙幣Ｐを第１の搬送ガイド２１０側に、ステージ２３１を介して押圧するパンタグラフ２３２を有している。第１及び第２の搬送ガイド２１０，２７０は、底板２９１及び側板２９２の内部に配置されている。第１の搬送ガイド２１０には、紙幣Ｐを搬送路１０３へ搬出する、それぞれ一対のキックローラ２２０及びフィードローラ２５０が設けられている。第２の搬送ガイド２７０には、フィードローラ２５０の対向位置に、それに接触するように一対の阻止ローラ２６０が配置されている。また、搬送路１０３には、紙幣Ｐを搬送する搬送ローラ２８０が配置されている。
【０００７】
収納庫１０６に収納されている紙幣Ｐの搬送路１０３への搬出時には、図１４に示されるように、キックローラ２２０が回転し、パンタグラフ２３２によってキックローラ２２０にステージ２３１を介して押圧されている紙幣Ｐがフィードローラ２５０側に繰り出される。収納部２００に複数枚の紙幣Ｐが集積収納されているときには、通常、図１５に示されるように、一部の複数枚の紙幣Ｐがそれらの間に生じる摩擦等により、束になって一緒に繰り出される。このように束になって繰り出された複数枚の紙幣Ｐは、図１５に示されるように、回転するフィードローラ２５０と停止した阻止ローラ２６０との間を通過するときに最前面紙幣Ｐ１が１枚に分離され、搬送路１０３へと搬出され、搬送ローラ２８０によって搬送される。
【０００８】
ところで、このように収納されている紙幣の繰り出し及び分離を行う際に、紙幣に“詰まり”が生じる場合がある。これまで、紙幣の詰まりを防止するいくつかの提案がなされている。例えば、紙幣の重量、紙幣の移動量、キックローラへの圧力等を検知するセンサを配置して、紙幣の流通の程度を検知して、これに応じて分離速度及び搬送速度を制御して、紙幣の詰まりを防止する方法がある（特許文献１参照）。
【特許文献１】特開平５−３０３６７４号公報
【発明の開示】
【発明が解決しようとする課題】
【０００９】
例えば、上記のような構成を有する収納庫１０６の場合には、特に少数枚の紙幣Ｐが集積されているときに、次のようにして紙幣の詰まりが発生する。
図１６は、紙幣の詰まりの発生を説明する図である。
【００１０】
収納部２００に収納されている紙幣Ｐが少数枚である場合にも、紙幣Ｐがステージ２３１を介してパンタグラフ２３２によって第１の搬送ガイド２１０側に押圧されて、キックローラ２２０の回転によってフィードローラ２５０側に搬送される。このとき、束の紙幣Ｐとの摩擦等によって紙幣Ｐ２も繰り出されて、紙幣Ｐ２は阻止ローラ２６０と接触する。繰り出される束の紙幣Ｐとともに紙幣Ｐ２も上方へ繰り出されると、阻止ローラ２６０との接触部を支点として、紙幣Ｐ２が撓み始め、さらに繰り出されると膨らみが生じる。紙幣Ｐ２の膨らみが、図１６に示されるように、ステージ２３１の端部と搬送ガイド２７０との隙間に入り込むと紙幣Ｐ２が詰まってしまい、紙幣Ｐ２が搬出できない等の問題が生じる可能性がある。
【００１１】
本発明は、このような点に鑑みてなされたものであり、紙幣の詰まりの発生を抑制することのできる紙幣処理装置を提供することを目的とする。また、そのような紙幣処理装置を備えた金銭処理機を提供することを目的とする。
【課題を解決するための手段】
【００１２】
上記目的を達成するために、紙幣の入金及び出金を行う紙幣処理装置が提供される。
この紙幣処理装置は、前記紙幣が収納される収納部と、前記収納部内に収納された前記紙幣をガイドするガイド部材と、前記収納部内に収納された前記紙幣が積載されて、移動することによって前記紙幣を前記ガイド部材側に押圧するステージと、前記ガイド部材から外周面を突出させて配置され、前記紙幣を繰り出す一対の第１のローラと、前記ステージの前記紙幣の積載面側に配置され、前記紙幣に、繰り出される方向に曲げ癖を付ける癖付け部と、前記ガイド部材から外周面を突出させて配置され、前記第１のローラで繰り出される曲げ癖が付いた前記紙幣を搬送する一対の第２のローラと、一対の前記第２のローラにそれぞれ接して対向配置され、前記第２のローラで搬送される曲げ癖が付いた前記紙幣を１枚に分離する一対の第３のローラと、を有する。また、このような紙幣処理装置を備えた金銭処理機が提供される。
【００１３】
このような紙幣処理装置によれば、ステージが移動して、収納部内に収納された積層された紙幣がガイド部材側に押圧されながら、ガイド部材から外周面を突出させて配置された一対の第１のローラが紙幣を繰り出し、ステージの紙幣の積載面側に配置された癖付け部が紙幣に繰り出される方向に曲げ癖を付けて、ガイド部材から外周面を突出させて配置された一対の第２のローラが第１のローラが繰り出す曲げ癖が付いた紙幣を搬送して、一対の第２のローラにそれぞれ接して対向配置された一対の第３のローラが、第２のローラが搬送する曲げ癖が付いた紙幣を１枚に分離する。
【発明の効果】
【００１４】
上記紙幣処理装置、及びそのような紙幣処理装置を備えた金銭処理機では、紙幣の詰まりの発生を抑えることができる。
【発明を実施するための最良の形態】
【００１５】
以下、本発明の実施の形態を、図面を参照して詳細に説明する。
但し、以下の図面の記載において、同一または類似の部分は同一または類似の符号を付している。
【００１６】
まず、紙幣処理装置の概略について説明する。
図２は実施の形態に係る紙幣処理装置の構成図である。
紙幣処理装置１０は、紙幣が投入される入金口１１、釣銭紙幣などが支払われる出金口１２、入・出金紙幣が搬送される搬送路１３を有している。搬送路１３の途中には、搬送路１３内に進退する振り分けゲート１９ａ、投入された紙幣の真偽を鑑別する鑑別部１４、鑑別部１４にて真と鑑別された紙幣の金種を判別する金種判別部１５が配置されている。さらに、搬送路１３の途中には、搬送路１３内に進退して搬送紙幣を所定の収納庫１６に振り分ける振り分けゲート１９ｂ，１９ｃ，１９ｄが設けられている。また、搬送路１３を搬送される紙幣の通過、収納庫１６からの紙幣の搬出や紙幣の収納を検知するために、要所に複数のセンサ２１が設けられている。なお、収納庫１６は、収納される紙幣の金種ごとに、例えば、千円紙幣のみが収納される千円収納庫１６ａ、千円紙幣以外の紙幣（二千円紙幣、五千円紙幣、一万円紙幣）が収納される混合収納庫１６ｂが設けられている。さらに、その混合収納庫１６ｂの五千円紙幣を釣銭として払い出せるように二千円紙幣と一万円紙幣を移送する或いは釣銭として払い出す千円紙幣や五千円紙幣の精査を行うための精査庫１６ｃも設けられている。なお、このほか、混合収納庫１６ｂの位置に、五千円紙幣のみが収納される五千円紙幣用の収納庫を配置し、精査庫１６ｃの位置に、投入された二千円紙幣及び一万円紙幣を収納する収納庫を配置する構成とすることもできる。
【００１７】
また、紙幣処理装置１０の入・出金口１１，１２側には、収納庫１６に収納された紙幣が移送されて回収される回収庫１８が設けられている。
このような紙幣処理装置１０において、入金口１１に投入された紙幣は、搬送路１３を搬送されて、まず鑑別部１４でその真偽が鑑別される。鑑別部１４で真札と鑑別された紙幣は、さらに奥へと搬送される。また、偽札と鑑別された紙幣は、逆方向に搬送されて、振り分けゲート１９ａが搬送路１３内に進入することによって出金口１２側に振り分けられ、出金口１２へと戻される。真札と鑑別された紙幣は、続いて金種判別部１５でその金種が判別される。
【００１８】
既述の通り、収納庫１６として千円紙幣用の千円収納庫１６ａ、千円紙幣以外の紙幣用の混合収納庫１６ｂ及び精査庫１６ｃを配置した場合には、金種判別部１５で千円紙幣と判別された紙幣は、振り分けゲート１９ｄが搬送路１３内に進入することによって振り分けられて、千円収納庫１６ａに収納される。判別結果が千円紙幣以外の紙幣である場合には、その紙幣は、さらに搬送路１３を搬送されて、混合収納庫１６ｂに収納される。混合収納庫１６ｂに収納された紙幣のうち、釣銭として使用しない、例えば二千円紙幣及び一万円紙幣は、適当なタイミングで精査庫１６ｃに移送される。この場合、混合収納庫１６ｂから搬出された紙幣は、搬送路１３を入金時と逆方向に搬送され、振り分けゲート１９ｃが搬送路１３内に進入することによって振り分けられて、精査庫１６ｃに収納される。
【００１９】
釣銭の払い出しが必要になった場合には、所定金額の千円紙幣或いは五千円紙幣がそれぞれ千円収納庫１６ａ又は混合収納庫１６ｂから搬出されて、搬送路１３を入金時と逆方向に搬送される。そして、振り分けゲート１９ａが搬送路１３内に進入することによって出金口１２側に振り分けられ、出金口１２から払い出される。
【００２０】
千円収納庫１６ａ、混合収納庫１６ｂ及び精査庫１６ｃに収納されている紙幣は、必要に応じて回収庫１８に移送され、回収される。千円収納庫１６ａ、混合収納庫１６ｂ及び精査庫１６ｃから搬出された紙幣は、搬送路１３を入金時と逆方向に搬送され、振り分けゲート１９ｂが搬送路１３内に進入することによって回収庫１８側に振り分けられ、回収庫１８に移送される。なお、精査庫１６ｃの紙幣は、例えば、搬送路１３への搬出後に混合収納庫１６ｂ側に搬送させて一旦停止させ、そこから回収庫１８側に搬送させたり、或いは一旦混合収納庫１６ｂに移送した後に回収庫１８に移送したりすることができる。
【００２１】
なお、混合収納庫１６ｂの位置に五千円紙幣用の五千円収納庫を配置し、精査庫１６ｃの位置に二千円紙幣及び一万円紙幣を収納する２種収納庫を配置した場合には、金種判別部１５での判別結果に応じ、五千円紙幣はさらに搬送されて五千円収納庫に収納され、二千円紙幣及び一万円紙幣は入金時と逆方向に搬送されて２種収納庫に収納されることになる。釣銭の払い出し時には、千円紙幣及び五千円紙幣を収納している収納庫からそれぞれ、所定金額分の紙幣が搬出され、出金口１２から払い出される。
【００２２】
このような構成を有する紙幣処理装置１０が、硬貨の入・出金処理を行う硬貨処理装置等と共に搭載されて、ＰＯＳ等の上位機種に接続される金銭処理機が構成される。
次に、上記構成を有する紙幣処理装置１０の収納庫１６について説明する。
【００２３】
図１は実施の形態に係る収納庫の側面図、図３は実施の形態に係る収納庫の平面図である。なお、図３では、第２の搬送ガイド２７０の記載を省略しており、阻止ローラ２６０の配置位置を破線で示している。
【００２４】
収納庫１６は、図１及び図３に示すように、複数枚の紙幣Ｐを集積して収納可能な収納部２００、及び紙幣Ｐのガイド部材である第１及び第２の搬送ガイド２１０，２７０を有している。第１及び第２の搬送ガイド２１０，２７０は、底板２９１及び側板２９２の内部に配置されている。第１の搬送ガイド２１０の対向位置で第２の搬送ガイド２７０の下部には、収納部２００に収納されている紙幣Ｐを第１の搬送ガイド２１０側にステージ２３１を介して押圧するパンタグラフ２３２が配置されている。
【００２５】
第１の搬送ガイド２１０には、図１及び図３に示すように、収納部２００に収納され、パンタグラフ２３２によって押圧された紙幣Ｐを、搬送路１３側へ繰り出す一対のキックローラ２２０が設けられている。これらの一対のキックローラ２２０は、軸２２１（図３では図示を省略）に軸支されて回転可能に構成され、例えば、通常の繰り出し動作で紙幣Ｐにスキューを発生させたり破損させたりしないような適切な一定の間隔で配置されるように設計される。
【００２６】
さらに、第１の搬送ガイド２１０には、キックローラ２２０による紙幣Ｐの繰り出し方向に、繰り出された紙幣Ｐを搬送路１３へ搬出する一対のフィードローラ２５０が設けられている。また、第２の搬送ガイド２７０には、その一対のフィードローラ２５０の対向位置に、それぞれの外周面に接触するように一対の阻止ローラ２６０が配置されている。フィードローラ２５０及び阻止ローラ２６０は、それぞれ軸２５１，２６１に軸支され、紙幣Ｐの搬出・収納に応じて所定方向に回転可能に構成されている。ただし、阻止ローラ２６０は、紙幣Ｐの搬出の際には停止状態とされる。
【００２７】
収納庫１６では、キックローラ２２０によって複数枚の紙幣Ｐが束になって繰り出される場合があるが、そのような紙幣Ｐの束のうちの１枚が、フィードローラ２５０と阻止ローラ２６０との接触部Ｔにおいて分離され、搬送路１３へ搬出されるようになっている。
【００２８】
また、新たに、本実施の形態では癖付け部２４０がステージ２３１の紙幣Ｐが集積される側に配置されている。この癖付け部２４０は、ステージ２３１の阻止ローラ２６０側の端部の中央部に配置され、キックローラ２２０よりも上部に位置されている。また、癖付け部２４０は、例えば、プラスチック、金属を用いることができる。
【００２９】
このような構成を有する収納庫１６における紙幣搬出動作について説明する。
図４は実施の形態に係る紙幣搬出時の収納庫の側面図、図５は実施の形態に係る紙幣搬出時の収納庫の平面図である。
【００３０】
収納庫１６に収納されている紙幣Ｐの搬送路１３への搬出時には、紙幣Ｐがパンタグラフ２３２によって押圧されている状態で、まずキックローラ２２０が図４中反時計回り方向（矢印方向）に回転し、押圧されている紙幣Ｐがフィードローラ２５０側に繰り出される。上記図１及び図３に示したように収納部２００に複数枚の紙幣Ｐが集積収納されているときには、通常はその複数枚の紙幣Ｐのうちの一部がそれらの間に生じる摩擦等により束になって繰り出されていく。そして、このように束になって繰り出された複数枚の紙幣Ｐが、図４中反時計回り方向（矢印方向）に回転させたフィードローラ２５０と停止した阻止ローラ２６０の方向に繰り出されていく。
【００３１】
最前面の紙幣Ｐは、このようにして接触部Ｔで他の紙幣Ｐから１枚だけに分離されて接触部Ｔを通過していき、例えば阻止ローラ２６０の側部等に配置した図示しない振り分けゲートによって搬送路１３の所定方向に搬出され、搬送路１３に設けた搬送ローラ２８０等を用いて出金口１２等に搬送される。後続の紙幣Ｐもこれと同様にして搬送路１３に搬出することができる。
【００３２】
その後、残りの紙幣Ｐが少数枚になってくると、パンタグラフ２３２によってキックローラ２２０側に押圧されるとともに、紙幣Ｐは、ステージ２３１に配置した癖付け部２４０によってキックローラ２２０側へ突き出た凸部が付けられる。この状態において、キックローラ２２０の図４中反時計回り方向（矢印方向）への回転により、凸部が付けられた紙幣Ｐが繰り出されると、紙幣Ｐに繰り出し方向に曲げ癖が付けられる。そして、曲げ癖が付いた紙幣Ｐは、剛性が高まり、ステージ２３１と阻止ローラ２６０との隙間に挟まることなく、フィードローラ２５０と停止した阻止ローラ２６０の方向に繰り出されていく。
【００３３】
このようにして剛性が高められた紙幣Ｐは、ステージ２３１と阻止ローラ２６０との隙間に挟まることなく紙幣詰まりが防がれて、フィードローラ２５０及び阻止ローラ２６０の方向に繰り出されるようになる。なお、紙幣Ｐの曲げ癖の幅は、図５に示されるように、一対の阻止ローラ２６０の間に収まる程度が、紙幣Ｐがフィードローラ２５０と阻止ローラ２６０との間に突入しやすい。したがって、癖付け部２４０は、例えば六面体であれば、幅が一対のフィードローラ２５０の間隔よりも狭く、図５に示されるような平面視で一対のフィードローラ２５０の間に位置するようにステージ２３１に配置されることが望ましい。
【００３４】
また、実施の形態では、紙幣Ｐが縦置き状態で収納部２００に集積しているが、横置き状態の場合でも、上記のようにステージ２３１に癖付け部２４０を配置して同様の効果が得られる。
【００３５】
このような構成の収納庫１６に対して配置される癖付け部について、他の例を挙げて説明する。
（実施例１）
図６は実施例１に係る収納庫の側面図、図７は実施例１に係る収納庫の平面図である。
【００３６】
収納庫１６は、上記と同様に、紙幣Ｐを集積して収納可能な収納部２００、紙幣Ｐのガイド部材である第１及び第２の搬送ガイド２１０，２７０、及び収納されている紙幣Ｐを第１の搬送ガイド２１０側に、ステージ２３１を介して押圧するパンタグラフ２３２を有している。第１及び第２の搬送ガイド２１０，２７０は、底板２９１及び側板２９２の内部に配置されている。第１の搬送ガイド２１０には、紙幣Ｐを搬送路１３へ搬出する、それぞれ一対のキックローラ２２０及びフィードローラ２５０が設けられている。第２の搬送ガイド２７０には、フィードローラ２５０の対向位置に、それに接触するように一対の阻止ローラ２６０が配置されている。また、搬送路１３には、紙幣を搬送する搬送ローラ２８０が配置されている。
【００３７】
なお、実施例１では、ステージ２３１の所定箇所に、押し出し加工でキックローラ２２０側への凸部を突出させて、癖付け部２４１がステージ２３１に対して一体的に形成されている。
【００３８】
このような場合でも、上記実施の形態と同様に、紙幣Ｐが少数枚である場合には、キックローラ２２０の図６中反時計回り方向（矢印方向）への回転により、凸部が付けられた紙幣Ｐが繰り出されると、紙幣Ｐに繰り出し方向に曲げ癖が付けられる。曲げ癖が付いた紙幣Ｐは、剛性が高まり、ステージ２３１と阻止ローラ２６０との隙間に挟まることなく、フィードローラ２５０と停止した阻止ローラ２６０の方向に繰り出されていく。
【００３９】
（実施例２）
図８は実施例２に係る収納庫の癖付け部の平面拡大図である。なお、図８は、これまでに説明した収納庫１６のステージ２３１に配置した、実施例２の癖付け部２４２を拡大して示している。また、フィードローラ２５０及び阻止ローラ２６０についてはその配置位置を破線で示している。その他の構成の記載については省略している。
【００４０】
収納庫１６の構成は実施の形態で行った説明の通りである。この収納庫１６のステージ２３１に対して、新たに図８に示されるように癖付け部２４２が配置されている。
実施例２の癖付け部２４２は、実施の形態の癖付け部２４０において、紙幣Ｐと接触する接触面と、接触面の両側の繰り出し方向の２面とが曲率を持って接続されている。なお、この癖付け部２４２の幅は、一対のフィードローラ２５０の間隔よりも小さく、ステージ２３１の阻止ローラ２６０側の端部の中央部に配置されている。
【００４１】
このような構成の癖付け部２４２により、紙幣Ｐに対する過度の負担が軽減されるために、紙幣Ｐに付けられた曲げ癖は緩やかな曲率（図８中の領域Ｒ）となる。このため、紙幣Ｐは、負荷抵抗が低減し、左右バランスよく持ち上げられて、フィードローラ２５０側へ繰り出される。したがって、紙幣詰まりが防止されるとともに、キックローラ２２０によって紙幣Ｐが安定して繰り出されるようになる。
【００４２】
（実施例３）
図９は実施例３に係る収納庫の側面図である。
収納庫１６の構成は実施の形態で行った説明の通りである。この収納庫１６のステージ２３１に対して、新たに図９に示されるように癖付け部２４３が配置されている。
【００４３】
実施例３の癖付け部２４３は、実施の形態の癖付け部２４０よりも、端部が阻止ローラ２６０側へ飛びだしてステージ２３１に配置されている。なお、癖付け部２４３の端部はできる限り阻止ローラ２６０に近づけることが望ましい。例えば、ステージ２３１の端部と阻止ローラ２６０との間隔が２ｍｍ程度であるとすると、癖付け部２４３がステージ２３１の端部から１ｍｍ程度、阻止ローラ２６０側に飛び出してステージ２３１に配置されている。なお、この癖付け部２４３は、幅は一対のフィードローラ２５０の間隔よりも小さく、ステージ２３１の中央部に配置されている。
【００４４】
このような構成の癖付け部２４３により曲げ癖が付けられた紙幣Ｐは、高められた剛性をできる限り維持したままフィードローラ２５０側に繰り出されて、紙幣Ｐの詰まりが防止される。
【００４５】
（実施例４）
図１０は実施例４に係る収納庫の平面図である。
実施例４の収納庫１６は、実施の形態の収納庫１６においてキックローラ２２０が１つのみが配置されており、ステージ２３１の阻止ローラ２６０側の端部の中央部に一対の癖付け部２４４が配置されている。一対の癖付け部２４４の間隔は、一対のフィードローラ２５０の間隔よりも小さい。また、実施例４の収納庫１６のその他の構成については実施の形態の収納庫１６と同様である。
【００４６】
この実施例４の収納庫１６においても、上記実施の形態と同様に、１つのキックローラ２２０が反時計回り方向に回転して、押圧されている紙幣Ｐがフィードローラ２５０側に繰り出される。
【００４７】
その後、残りの紙幣Ｐが少数枚になってくると、パンタグラフ２３２によってキックローラ２２０側に押圧されるとともに、紙幣Ｐは、ステージ２３１に配置した一対の癖付け部２４４によってキックローラ２２０側へ突き出た凸部が付けられる。この状態において、キックローラ２２０の反時計回り方向への回転により、凸部が付けられた紙幣Ｐが繰り出されると、紙幣Ｐに繰り出し方向に曲げ癖が付けられる。このように、キックローラ２２０は１つであるが、癖付け部２４４を２つ配置させたために、紙幣Ｐに対して安定して繰り出し方向に曲げ癖を付けることができる。そして、曲げ癖が付いた紙幣Ｐは、剛性が高まり、ステージ２３１と阻止ローラ２６０との隙間に挟まることなく、フィードローラ２５０と停止した阻止ローラ２６０の方向に繰り出されていく。
【図面の簡単な説明】
【００４８】
【図１】実施の形態に係る収納庫の側面図である。
【図２】実施の形態に係る紙幣処理装置の構成図である。
【図３】実施の形態に係る収納庫の平面図である。
【図４】実施の形態に係る紙幣搬出時の収納庫の側面図である。
【図５】実施の形態に係る紙幣搬出時の収納庫の平面図である。
【図６】実施例１に係る収納庫の側面図である。
【図７】実施例１に係る収納庫の平面図である。
【図８】実施例２に係る収納庫の癖付け部の平面拡大図である。
【図９】実施例３に係る収納庫の側面図である。
【図１０】実施例４に係る収納庫の平面図である。
【図１１】紙幣処理装置の概念図である。
【図１２】収納庫の概要側面図である。
【図１３】収納庫の概要平面図である。
【図１４】紙幣搬出動作の説明図（その１）である。
【図１５】紙幣搬出動作の説明図（その２）である。
【図１６】紙幣の詰まりの発生を説明する図である。
【符号の説明】
【００４９】
１０  紙幣処理装置
１１  入金口
１２  出金口
１３  搬送路
１４  鑑別部
１５  金種判別部
１６  収納庫
１６ａ  千円収納庫
１６ｂ  混合収納庫
１６ｃ  精査庫
１８  回収庫
１９ａ，１９ｂ，１９ｃ，１９ｄ  振り分けゲート
２１  センサ
２００  収納部
２１０，２７０  搬送ガイド
２２０  キックローラ
２２１，２５１，２６１  軸
２３１  ステージ
２３２  パンタグラフ
２４０  癖付け部
２５０  フィードローラ
２６０  阻止ローラ
２８０  搬送ローラ
２９１  底板
２９２  側板
Ｐ  紙幣
【図１】
2010026684.tif 000003
【図２】
2010026684.tif 000004
【図３】
2010026684.tif 000005
【図４】
2010026684.tif 000006
【図５】
2010026684.tif 000007
【図６】
2010026684.tif 000008
【図７】
2010026684.tif 000009
【図８】
2010026684.tif 000010
【図９】
2010026684.tif 000011
【図１０】
2010026684.tif 000012
【図１１】
2010026684.tif 000013
【図１２】
2010026684.tif 000014
【図１３】
2010026684.tif 000015
【図１４】
2010026684.tif 000016
【図１５】
2010026684.tif 000017
【図１６】
2010026684.tif 000018